(57)【要約】【課題】注射針を取り付け忘れた際に生じる、薬液の漏れ、逆流、あるいは薬液カートリッジのひび割れ、破裂等を防ぐことのできる医療用投与器具を提供する。【解決手段】薬液が充填された薬液カートリッジ２と、薬液カートリッジ２を収納するカートリッジホルダー１７と、薬液カートリッジ２に取り付け可能な注射針部１と、薬液カートリッジ２内の薬液を押し出すためのプランジャー３を有する投与器具本体１０と、注射針部１が薬液カートリッジ２に取り付けられていないときに、カートリッジホルダー１７と投与器具本体１０とが結合するのを抑止する結合抑止部７ｂとを備える。【選択図】      図３
2004321690.tif 000002
【特許請求の範囲】
【請求項１】
薬液が充填された薬液カートリッジと、
上記薬液カートリッジを収納するカートリッジホルダーと、
上記薬液カートリッジに取り付け可能な注射針部と、
上記薬液カートリッジ内の薬液を押し出すためのプランジャーを有する投与器具本体と、
上記注射針部が上記薬液カートリッジに取り付けられていないときに、上記カートリッジホルダーと上記投与器具本体とが結合するのを抑止する結合抑止部とを備える、
ことを特徴とする医療用投与器具。
【請求項２】
請求項１に記載の医療用投与器具において、
上記結合抑止部は、
上記注射針部が上記薬液カートリッジに取り付けられていないときに、上記カートリッジホルダーと上記投与器具本体とが正規位置で結合するのを抑止する、
ことを特徴とする医療用投与器具。
【請求項３】
請求項１に記載の医療用投与器具において、
上記薬液カートリッジは、
その内部の上記注射針部を取り付けるのとは反対側の端部近傍に、薬液を密閉するためのシールを有しており、
上記シールは、
上記注射針部が上記薬液カートリッジに取り付けられているときにのみ、上記投与器具本体のプランジャーに当接しながら該薬液カートリッジ内部でスライド可能となる、
ことを特徴とする医療用投与器具。
【請求項４】
請求項３に記載の医療用投与器具において、
上記薬液カートリッジは、
複数の薬液、または薬剤と薬液とが充填されており、上記シールが上記注射針部に向かう方向にスライドすることにより該複数の薬液、または薬剤と薬液とが混合される、
ことを特徴とする医療用投与器具。
【請求項５】
請求項１ないし４のいずれかに記載の医療用投与器具において、
上記注射針部が上記薬液カートリッジに取り付けられているか否かを検知する注射針取り付け検知部を備える、
ことを特徴とする医療用投与器具。
【請求項６】
請求項５に記載の医療用投与器具において、
上記注射針取り付け検知部は、
上記注射針部と上記カートリッジホルダーとの間に設けられる、
ことを特徴とする医療用投与器具。
【請求項７】
請求項５に記載の医療用投与器具において、
上記注射針取り付け検知部は、
上記注射針部が上記薬液カートリッジに取り付けられているときに、該注射針部に接触する、
ことを特徴とする医療用投与器具。
【請求項８】
請求項５に記載の医療用投与器具において、
上記注射針取り付け検知部は、
上記注射針部が上記薬液カートリッジに取り付けられているときには該注射針部に接触し、その後、該注射針部が該薬液カートリッジから取り外されたときに該注射針部から離れる、
ことを特徴とする医療用投与器具。
【請求項９】
請求項５に記載の医療用投与器具において、
上記結合抑止部は、
上記注射針取り付け検知部が、上記注射針部が上記薬液カートリッジに取り付けられているのを検知したときに、上記カートリッジホルダーと上記投与器具本体とが結合可能な状態となるよう、該注射針取り付け検知部と係合する、
ことを特徴とする医療用投与器具。
【請求項１０】
請求項５に記載の医療用投与器具において、
上記結合抑止部は、
上記注射針取り付け検知部が、上記注射針部が上記薬液カートリッジに取り付けられているのを検知したときに、上記カートリッジホルダーと上記投与器具本体とが結合可能な状態となり、その後、上記注射針取り付け検知部が、上記注射針部が上記薬液カートリッジに取り付けられているのを検知しなくなったときに、上記カートリッジホルダーと上記投与器具本体とが結合不可能な状態となるよう、該注射針取り付け検知部と係合する、
ことを特徴とする医療用投与器具。
【請求項１１】
請求項９または１０に記載の医療用投与器具において、
上記結合抑止部と上記注射針取り付け検知部とは一体である、
ことを特徴とする医療用投与器具。
【請求項１２】
薬液が充填された薬液カートリッジと、
上記薬液カートリッジを収納するカートリッジホルダーと、
上記薬液カートリッジに取り付け可能な注射針部と、
上記薬液カートリッジ内の薬液を押し出すためのプランジャーを有する投与器具本体と、
上記薬液カートリッジと上記カートリッジホルダーとの間に平行して配設され、その一端に注射針取り付け検知部が形成され、他の端部近傍に突起状の結合抑止部が形成されるイジェクトレバーとを備え、
上記カートリッジホルダーは、
上記注射針部が上記薬液カートリッジに取り付けられていないときに上記イジェクトレバーの結合抑止部が嵌合する位置に開口部を有し、
上記イジェクトレバーは、
上記注射針部が上記薬液カートリッジに取り付けられていないときは、上記注射針取り付け検知部に該注射針部が接触せず、上記結合抑止部が上記カートリッジホルダーの開口部から外部方向に突出して上記投与器具本体の端面に当接することにより該カートリッジホルダーと該投与器具本体とが結合するのを抑止し、
上記注射針部が上記薬液カートリッジに取り付けられる際に、上記注射針取り付け検知部に該注射針部が接触して該注射針取り付け検知部の位置が移動することにより、上記結合抑止部が上記カートリッジホルダーの開口部からずれて該カートリッジホルダー内に引き込まれ上記投与器具本体の端面に接しないようにする、
ことを特徴とする医療用投与器具。
【発明の詳細な説明】
【０００１】
【発明の属する技術分野】
本発明は、医療用投与器具に関し、特に、インシュリンあるいは成長ホルモン製剤等の薬液の投薬に使用されるものに関するものである。
【０００２】
【従来の技術】
図５は、従来の医療用投与器具の各部の関係を示す斜視図である。
図に示されるように、従来の医療用投与器具は、注射針３１、薬液カートリッジ３２、薬液押し出しプランジャー３３、注射ボタン３４、カートリッジホルダー３５、及び投与器具本体３６から構成され、薬液カートリッジ３２に薬液３７が充填されている。
【０００３】
このような従来の医療用投与器具は、インシュリンあるいは成長ホルモン製剤等の薬液を投与する場合に多く使用される。そして、ほとんどの場合において、注射針３１は実際に投与を行なう直前に取り付けられ、空打ちした後、決められた量の薬液を人体に投与している。また、内部が複数の室内に分かれた薬液カートリッジ３２を使用する場合には、実際の投与前に薬液カートリッジ３２の後端のシール材をプランジャー３３で押し、溶解混合動作を行なった後に、投与行為を行なう。
【０００４】
このとき、注射針３１の取り付けを忘れた場合でも、空打ちや溶解混合するために、薬液カートリッジ３２の後端部のシール材をプランジャー３３で押すことは可能である。（例えば特許文献１参照）
【０００５】
【特許文献１】
特許第２６４２５８２号公報（第１−２頁、第１図）
【０００６】
【発明が解決しようとする課題】
しかしながら、従来の医療用投与器具は、注射針を取り付け忘れた場合でも薬液カートリッジの後端部のシール材をプランジャーで押すことが可能であるため、注射針を取り付けずにシール材をプランジャーで押すと、図６に示されるように、注射針の取り付け部分側の先端部から薬液が漏れたり（図６の３７ａは漏れた薬液を示す）、また、プランジャー側に薬液が逆流して漏れたり（図６の３７ｂは逆流漏れした薬液を示す）、さらには、図７に示されるように、注射ボタンが押されることによって生じる圧力によって、薬液カートリッジにひびが入ったり、破裂したりして割れてしまい薬液が外に漏れてしまうなどの種々の問題が発生していた。また、二種の薬液を混合、あるいは薬剤と薬液とを溶解混合させて投与する成長ホルモン製剤等の場合においても、注射針を取り付けてから混合を行なう必要があるため、注射針を付け忘れると混合することができないばかりでなく、上記のような、薬液の逆流、漏れ、あるいは薬液カートリッジのひび割れ、破裂等が発生してしまうという問題があった。また、このような問題の多くは、特に、患者自身が自分で投与を行なう場合に多く発生していた。
【０００７】
本発明は、上述のような従来の問題点を解決するためになされたものであり、注射針を取り付け忘れた際に生じる、薬液の漏れ、逆流、あるいは薬液カートリッジのひび割れ、破裂等を防ぐことのできる医療用投与器具を提供することを目的とする。
【０００８】
【課題を解決するための手段】
本発明の請求項１に係る医療用投与器具は、薬液が充填された薬液カートリッジと、上記薬液カートリッジを収納するカートリッジホルダーと、上記薬液カートリッジに取り付け可能な注射針部と、上記薬液カートリッジ内の薬液を押し出すためのプランジャーを有する投与器具本体と、上記注射針部が上記薬液カートリッジに取り付けられていないときに、上記カートリッジホルダーと上記投与器具本体とが結合するのを抑止する結合抑止部とを備えるものである。
【０００９】
本発明の請求項２に係る医療用投与器具は、請求項１に記載の医療用投与器具において、上記結合抑止部が、上記注射針部が上記薬液カートリッジに取り付けられていないときに、上記カートリッジホルダーと上記投与器具本体とが正規位置で結合するのを抑止するものとしたものである。
【００１０】
本発明の請求項３に係る医療用投与器具は、請求項１に記載の医療用投与器具において、上記薬液カートリッジが、その内部の上記注射針部を取り付けるのとは反対側の端部近傍に、薬液を密閉するためのシールを有しており、上記シールが、上記注射針部が上記薬液カートリッジに取り付けられているときにのみ、上記投与器具本体のプランジャーに当接しながら該薬液カートリッジ内部でスライド可能となるものとしたものである。
【００１１】
本発明の請求項４に係る医療用投与器具は、請求項３に記載の医療用投与器具において、上記薬液カートリッジが、複数の薬液、または薬剤と薬液とが充填されており、上記シールが上記注射針部に向かう方向にスライドすることにより該複数の薬液、または薬剤と薬液とが混合されるものとしたものである。
【００１２】
本発明の請求項５に係る医療用投与器具は、請求項１ないし４のいずれかに記載の医療用投与器具において、上記注射針部が上記薬液カートリッジに取り付けられているか否かを検知する注射針取り付け検知部を備えるものである。
【００１３】
本発明の請求項６に係る医療用投与器具は、請求項５に記載の医療用投与器具において、上記注射針取り付け検知部が、上記注射針部と上記カートリッジホルダーとの間に設けられるものとしたものである。
【００１４】
本発明の請求項７に係る医療用投与器具は、請求項５に記載の医療用投与器具において、上記注射針取り付け検知部が、上記注射針部が上記薬液カートリッジに取り付けられているときに、該注射針部に接触するものとしたものである。
【００１５】
本発明の請求項８に係る医療用投与器具は、請求項５に記載の医療用投与器具において、上記注射針取り付け検知部が、上記注射針部が上記薬液カートリッジに取り付けられているときには該注射針部に接触し、その後、該注射針部が該薬液カートリッジから取り外されたときに該注射針部から離れるものとしたものである。
【００１６】
本発明の請求項９に係る医療用投与器具は、請求項５に記載の医療用投与器具において、上記結合抑止部が、上記注射針取り付け検知部が、上記注射針部が上記薬液カートリッジに取り付けられているのを検知したときに、上記カートリッジホルダーと上記投与器具本体とが結合可能な状態となるよう、該注射針取り付け検知部と係合するものとしたものである。
【００１７】
本発明の請求項１０に係る医療用投与器具は、請求項５に記載の医療用投与器具において、上記結合抑止部が、上記注射針取り付け検知部が、上記注射針部が上記薬液カートリッジに取り付けられているのを検知したときに、上記カートリッジホルダーと上記投与器具本体とが結合可能な状態となり、その後、上記注射針取り付け検知部が、上記注射針部が上記薬液カートリッジに取り付けられているのを検知しなくなったときに、上記カートリッジホルダーと上記投与器具本体とが結合不可能な状態となるよう、該注射針取り付け検知部と係合するものとしたものである。
【００１８】
本発明の請求項１１に係る医療用投与器具は、請求項９または１０に記載の医療用投与器具において、上記結合抑止部と上記注射針取り付け検知部とが一体であるものとしたものである。
【００１９】
本発明の請求項１２に係る医療用投与器具は、薬液が充填された薬液カートリッジと、上記薬液カートリッジを収納するカートリッジホルダーと、上記薬液カートリッジに取り付け可能な注射針部と、上記薬液カートリッジ内の薬液を押し出すためのプランジャーを有する投与器具本体と、上記薬液カートリッジと上記カートリッジホルダーとの間に平行して配設され、その一端に注射針取り付け検知部が形成され、他の端部近傍に突起状の結合抑止部が形成されるイジェクトレバーとを備え、上記カートリッジホルダーが、上記注射針部が上記薬液カートリッジに取り付けられていないときに上記イジェクトレバーの結合抑止部が嵌合する位置に開口部を有し、上記イジェクトレバーが、上記注射針部が上記薬液カートリッジに取り付けられていないときは、上記注射針取り付け検知部に該注射針部が接触せず、上記結合抑止部が上記カートリッジホルダーの開口部から外部方向に突出して上記投与器具本体の端面に当接することにより該カートリッジホルダーと該投与器具本体とが結合するのを抑止し、上記注射針部が上記薬液カートリッジに取り付けられる際に、上記注射針取り付け検知部に該注射針部が接触して該注射針取り付け検知部の位置が移動することにより、上記結合抑止部が上記カートリッジホルダーの開口部からずれて該カートリッジホルダー内に引き込まれ上記投与器具本体の端面から離脱するものとしたものである。
【００２０】
【発明の実施の形態】
（実施の形態１）
図１は、本発明の実施の形態１における医療用投与器具の斜視図であり、図２は、本発明の実施の形態１における医療用投与器具の各部の関係を示す斜視図である。
【００２１】
図１に示されるように、投与器具本体１０にカートリッジホルダー１７が結合され、注射針部１が取り付けられている。人体に投与する場合、投与量設定つまみ６を投与指定量に調節し、投与ボタン４を押すことによって投与が可能となる。
【００２２】
また、図２に示されるように、カートリッジホルダー１７内には、イジェクトレバー７がセットされ、その中に薬液カートリッジ２がセットされている。イジェクトレバー７の投与器具本体１０側には、イジェクトレバーバネ１８がセットされており、このイジェクトレバーバネ１８、薬液カートリッジ２、及びイジェクトレバー７が投与器具本体１０側に出ないようにホルダーピース１９がカートリッジホルダー１７に圧入されている。ここでイジェクトレバー７は、イジェクトレバーバネ１８によって常に矢印７ｄ方向に付勢されており、イジェクトレバー７の注射針取り付け検知部７ａは、カートリッジホルダー１７の注射針部１取り付け側に設けられている穴から少し出た状態となる。また、カートリッジホルダー１７内にセットされた薬液カートリッジ２の注射針取り付けネジ部８は、カートリッジホルダー１７の注射針部１取り付け側に設けられている穴から突出しており、この注射針取り付けネジ部８に螺合することで注射針部１が取り付け可能である。また、イジェクトレバー７の結合抑止部７ｂは、カートリッジホルダー１７にセットした時、カートリッジホルダー１７の開口部１７ａの所定位置に入るようになっている。
【００２３】
人体に投与する場合には、まず投与量設定つまみ６を投与したい量に調節する。プランジャー５は、投与量設定つまみ６を回転させると、注射針が延びる方向にスライドするようになっており、投与量設定つまみ６を、投与量を増やす方向に回転させたとき、プランジャー５は注射針部１側に移動する。プランジャー５の先端には、薬液カートリッジ２内の薬液を押し出すための薬液押し出しプランジャー３が設けられており、投与ボタン４を押すと、プランジャー５が注射針部１側に移動し、薬液押し出しプランジャー３が薬液カートリッジ２内の薬液を注射針部１から押し出す。
【００２４】
以下に、注射針が取り付けられているか否かの検出方法、及び薬剤と薬液との溶解混合動作について詳述する。
まず、注射針部１が注射針取り付けネジ部８に取り付けられていない場合を説明する。
【００２５】
図３は、本発明の実施の形態１における医療用投与器具の注射針取り外し時のカートリッジホルダー及びイジェクトレバーの位置関係を示す断面図である。
図３に示されるように、イジェクトレバー７は一体ものであり、カートリッジホルダー１７の中にセットされている。イジェクトレバー７の中には薬液カートリッジ２がセットされている。イジェクトレバー７は、イジェクトレバーバネ１８によって常に矢印７ｄ方向に付勢されている。注射針部１が注射針取り付けネジ部８に取り付けられていない状態では、イジェクトレバー７の注射針取り付け検知部７ａは、カートリッジホルダー１７の注射針部１取り付け側に設けられている穴から注射針部１の方に向かって飛び出した状態となっている。また、イジェクトレバー７の結合抑止部７ｂは、カートリッジホルダー１７にセットした時、カートリッジホルダー１の開口部１７ａの所定位置に入るようになっており、このとき、結合抑止部７ｂは、投与器具本体１０の端面に当接するため、カートリッジホルダー１７を投与器具本体１０に結合することができない。
【００２６】
次に、注射針部１が注射針取り付けネジ部８に取り付けられている場合を説明する。
図４は、本発明の実施の形態１における医療用投与器具の注射針取り付け時のカートリッジホルダー及びイジェクトレバーの位置関係を示す断面図である。
【００２７】
図４に示されるように、イジェクトレバー７は一体ものであり、注射針部１を取り付けると、イジェクトレバー７のイジェクトレバー注射針検出部７ａは矢印７ｅ方向に押され、結合抑止部７ｂの斜面部分がカートリッジホルダー１７の端面部分１７ｂを摺動し、結合抑止部７ｂは矢印７ｃ方向に移動する。これにより結合抑止部７ｂが、投与器具本体１０の端面と当接しなくなり、カートリッジホルダー１７が投与器具本体１０に結合可能な状態となる。
【００２８】
そして、カートリッジホルダー１７が投与器具本体１０に結合可能な状態となると、薬液カートリッジ内後部ゴム１３が薬液押し出しプランジャー３に当接し、さらにカートリッジホルダー１７を投与ボタン４側にスライドさせると、薬液押し出しプランジャー３が薬液カートリッジ内後部ゴム１３を押し、これにより薬液カートリッジ２内の薬液１４に圧力がかかり、薬液カートリッジ内分離用ゴム１２が薬剤１１側に移動する。薬液カートリッジ内分離用ゴム１２が薬液注入溝２０まで移動すると薬液１４が薬液注入溝２０を通って薬剤１１が存在する空間に流れ込む。さらに、カートリッジホルダー１７を投与量ボタン４側にスライドさせると、薬液注入溝２０から薬液１４が全て薬剤１１の存在する空間に流れ込み、薬剤１１と薬液１４とが混合される。そして、さらにカートリッジホルダー１７を投与ボタン４側にスライドさせると、薬液カートリッジ内後部ゴム１３が薬液カートリッジ内分離用ゴム１２に当接した時点、すなわち、結合抑止部７ｂが、投与器具本体１０の端面と当接しなくなってからスライド量２１分スライドさせて、カートリッジホルダー１７の突起部２２が投与器具本体１０の端面に当接した時点でスライドすることができなくなり、カートリッジホルダー１７が投与器具本体１０内の正規位置に結合される。
【００２９】
このように、本実施の形態１による医療用投与器具は、注射針取り付け検知部と結合抑止部とをその両端に一体の部品として形成したイジェクトレバーを、イジェクトレバーバネによって常に注射針側に向かう方向に付勢させることで、注射針が取り付けられていない場合には、結合抑止部がカートリッジホルダーの開口部を介して投与器具本体の端面に当接し、カートリッジホルダーと投与器具本体との結合が抑止されるようになり、これにより、注射針を取り付け忘れた際に生じる、薬液の漏れ、逆流、あるいは薬液カートリッジのひび割れ、破裂等を防ぐことができるとともに、溶解混合行為を確実に行なうことができる。
【００３０】
また、カートリッジホルダーの開口部から突出した結合抑止部の位置を目視することで、注射針がカートリッジホルダー内の薬液カートリッジに正常に取り付けられたかどうかを確認することができる。
【００３１】
【発明の効果】
本発明の請求項１に係る医療用投与器具は、薬液が充填された薬液カートリッジと、上記薬液カートリッジを収納するカートリッジホルダーと、上記薬液カートリッジに取り付け可能な注射針部と、上記薬液カートリッジ内の薬液を押し出すためのプランジャーを有する投与器具本体と、上記注射針部が上記薬液カートリッジに取り付けられていないときに、上記カートリッジホルダーと上記投与器具本体とが結合するのを抑止する結合抑止部とを備えるので、注射針を取り付け忘れた際に生じる、薬液の漏れ、逆流、あるいは薬液カートリッジのひび割れ、破裂等を防ぐことができるという効果がある。
【００３２】
本発明の請求項２に係る医療用投与器具は、請求項１に記載の医療用投与器具において、上記結合抑止部が、上記注射針部が上記薬液カートリッジに取り付けられていないときに、上記カートリッジホルダーと上記投与器具本体とが正規位置で結合するのを抑止するものとしたので、注射針を取り付け忘れた際に生じる、薬液の漏れ、逆流、あるいは薬液カートリッジのひび割れ、破裂等を防ぐことができるという効果がある。
【００３３】
本発明の請求項３に係る医療用投与器具は、請求項１に記載の医療用投与器具において、上記薬液カートリッジが、その内部の上記注射針部を取り付けるのとは反対側の端部近傍に、薬液を密閉するためのシールを有しており、上記シールが、上記注射針部が上記薬液カートリッジに取り付けられているときにのみ、上記投与器具本体のプランジャーに当接しながら該薬液カートリッジ内部でスライド可能となるものとしたので、注射針を取り付け忘れた際に生じる、薬液の漏れ、逆流、あるいは薬液カートリッジのひび割れ、破裂等を防ぐことができるという効果がある。
【００３４】
本発明の請求項４に係る医療用投与器具は、請求項３に記載の医療用投与器具において、上記薬液カートリッジが、複数の薬液、または薬剤と薬液とが充填されており、上記シールが上記注射針部に向かう方向にスライドすることにより該複数の薬液、または薬剤と薬液とが混合されるものとしたので、溶解混合行為を確実に行なうことができるとともに、注射針を取り付け忘れた際に生じる、薬液の漏れ、逆流、あるいは薬液カートリッジのひび割れ、破裂等を防ぐことができるという効果がある。
【００３５】
本発明の請求項５に係る医療用投与器具は、請求項１ないし４のいずれかに記載の医療用投与器具において、上記注射針部が上記薬液カートリッジに取り付けられているか否かを検知する注射針取り付け検知部を備えるので、注射針を取り付け忘れた際に生じる、薬液の漏れ、逆流、あるいは薬液カートリッジのひび割れ、破裂等を防ぐことができるという効果がある。
【００３６】
本発明の請求項６に係る医療用投与器具は、請求項５に記載の医療用投与器具において、上記注射針取り付け検知部が、上記注射針部と上記カートリッジホルダーとの間に設けられるものとしたので、注射針を取り付け忘れた際に生じる、薬液の漏れ、逆流、あるいは薬液カートリッジのひび割れ、破裂等を防ぐことができるという効果がある。
【００３７】
本発明の請求項７に係る医療用投与器具は、請求項５に記載の医療用投与器具において、上記注射針取り付け検知部が、上記注射針部が上記薬液カートリッジに取り付けられているときに、該注射針部に接触するものとしたので、注射針を取り付け忘れた際に生じる、薬液の漏れ、逆流、あるいは薬液カートリッジのひび割れ、破裂等を防ぐことができるという効果がある。
【００３８】
本発明の請求項８に係る医療用投与器具は、請求項５に記載の医療用投与器具において、上記注射針取り付け検知部が、上記注射針部が上記薬液カートリッジに取り付けられているときには該注射針部に接触し、その後、該注射針部が該薬液カートリッジから取り外されたときに該注射針部から離れるものとしたので、注射針を取り付け忘れた際に生じる、薬液の漏れ、逆流、あるいは薬液カートリッジのひび割れ、破裂等を防ぐことができるという効果がある。
【００３９】
本発明の請求項９に係る医療用投与器具は、請求項５に記載の医療用投与器具において、上記結合抑止部が、上記注射針取り付け検知部が、上記注射針部が上記薬液カートリッジに取り付けられているのを検知したときに、上記カートリッジホルダーと上記投与器具本体とが結合可能な状態となるよう、該注射針取り付け検知部と係合するものとしたので、注射針を取り付け忘れた際に生じる、薬液の漏れ、逆流、あるいは薬液カートリッジのひび割れ、破裂等を防ぐことができるという効果がある。
【００４０】
本発明の請求項１０に係る医療用投与器具は、請求項５に記載の医療用投与器具において、上記結合抑止部が、上記注射針取り付け検知部が、上記注射針部が上記薬液カートリッジに取り付けられているのを検知したときに、上記カートリッジホルダーと上記投与器具本体とが結合可能な状態となり、その後、上記注射針取り付け検知部が、上記注射針部が上記薬液カートリッジに取り付けられているのを検知しなくなったときに、上記カートリッジホルダーと上記投与器具本体とが結合不可能な状態となるよう、該注射針取り付け検知部と係合するものとしたので、注射針を取り付け忘れた際に生じる、薬液の漏れ、逆流、あるいは薬液カートリッジのひび割れ、破裂等を防ぐことができるという効果がある。
【００４１】
本発明の請求項１１に係る医療用投与器具は、請求項９または１０に記載の医療用投与器具において、上記結合抑止部と上記注射針取り付け検知部とが一体であるものとしたので、注射針を取り付け忘れた際に生じる、薬液の漏れ、逆流、あるいは薬液カートリッジのひび割れ、破裂等を防ぐことができるという効果がある。
【００４２】
本発明の請求項１２に係る医療用投与器具は、薬液が充填された薬液カートリッジと、上記薬液カートリッジを収納するカートリッジホルダーと、上記薬液カートリッジに取り付け可能な注射針部と、上記薬液カートリッジ内の薬液を押し出すためのプランジャーを有する投与器具本体と、上記薬液カートリッジと上記カートリッジホルダーとの間に平行して配設され、その一端に注射針取り付け検知部が形成され、他の端部近傍に突起状の結合抑止部が形成されるイジェクトレバーとを備え、上記カートリッジホルダーが、上記注射針部が上記薬液カートリッジに取り付けられていないときに上記イジェクトレバーの結合抑止部が嵌合する位置に開口部を有し、上記イジェクトレバーが、上記注射針部が上記薬液カートリッジに取り付けられていないときは、上記注射針取り付け検知部に該注射針部が接触せず、上記結合抑止部が上記カートリッジホルダーの開口部から外部方向に突出して上記投与器具本体の端面に当接することにより該カートリッジホルダーと該投与器具本体とが結合するのを抑止し、上記注射針部が上記薬液カートリッジに取り付けられる際に、上記注射針取り付け検知部に該注射針部が接触して該注射針取り付け検知部の位置が移動することにより、上記結合抑止部が上記カートリッジホルダーの開口部からずれて該カートリッジホルダー内に引き込まれ上記投与器具本体の端面から離脱するものとしたので、注射針を取り付け忘れた際に生じる、薬液の漏れ、逆流、あるいは薬液カートリッジのひび割れ、破裂等を防ぐことができるという効果がある。
【図面の簡単な説明】
【図１】本発明の実施の形態１における医療用投与器具の斜視図である。
【図２】本発明の実施の形態１における医療用投与器具の各部の関係を示す斜視図である。
【図３】本発明の実施の形態１における医療用投与器具の注射針取り外し時のカートリッジホルダー及びイジェクトレバーの位置関係を示す断面図である。
【図４】本発明の実施の形態１における医療用投与器具の注射針取り付け時のカートリッジホルダー及びイジェクトレバーの位置関係を示す断面図である。
【図５】従来の医療用投与器具の各部の関係を示す斜視図である。
【図６】従来の医療用投与器具に注射針を取り付けずに注射ボタンを押したときに薬液カートリッジから薬液が漏れている状態を示す斜視図である。
【図７】従来の医療用投与器具に注射針を取り付けずに注射ボタンを押したときに薬液カートリッジがひび割れして薬液が漏れている状態を示す斜視図である。
【符号の説明】
１    注射針部
２    薬液カートリッジ
３    薬液押し出しプランジャー
４    投与ボタン
５    プランジャー
６    投与量設定つまみ
７    イジェクトレバー
７ａ    注射針取り付け検知部
７ｂ    結合抑止部
８    注射針取り付けネジ部
９    注射針キャップ
１０  投与器具本体
１１  薬剤
１２  薬液カートリッジ内分離用ゴム
１３  薬液カートリッジ内後部ゴム
１４  薬液
１７  カートリッジホルダー
１７ａ  開口部
１７ｂ  端面部分
１８  イジェクトレバーバネ
１９  ホルダーピース
２０  薬液注入溝
２１  スライド量
２２  突起
３１  注射針
３２  薬液カートリッジ
３３  薬液押し出しプランジャー
３４  注射ボタン
３５  カートリッジホルダー
３６  投与器具本体
３７  薬液
３７ａ  漏れた薬液
３７ｂ  逆流漏れした薬液
【図１】
2004321690.tif 000003
【図２】
2004321690.tif 000004
【図３】
2004321690.tif 000005
【図４】
2004321690.tif 000006
【図５】
2004321690.tif 000007
【図６】
2004321690.tif 000008
【図７】
2004321690.tif 000009